(57)【要約】【課題】修理時等のため親板や棚板を外しても、ダンパー装置と弦との位置関係が狂うことがなく、経時的な取付け位置のずれが生じにくいアップライトピアノを提供する。【解決手段】ダンパー装置４９を支持する支持レール５９をフレーム３９に対してのみ支持したので、修理等のため親板９や棚板１９を外しても、ダンパー装置４９と弦との位置関係が狂うのを防止することができる。またフレームは金属製であり経時的な変形が生じにくいからこれに伴う経時的に、ダンパー装置４９と弦との位置関係が狂うのを防止することができる。【選択図】        図２
2007093655.tif 000002
【特許請求の範囲】
【請求項１】
鍵を叩くことによって当該鍵に対応したハンマーを動作させ所定の弦を叩いて音を発生させるハンマー装置と前記ハンマーの動作と連動してダンパーレバーを動作させて弦に当接していたダンパーを弦から離間させるダンパー装置とが各々独立して設けられており、且つ操作部材を操作してハンマーを鍵盤の整列方向に横スライドさせることによってハンマーが叩く弦の数を減らして音量を小さくする音量調節装置とを備えるアップライトピアノにおいて、前記ダンパー装置を支持する支持レールをフレームに対してのみ支持させたことを特徴とするアップライトピアノ。
【請求項２】
請求項１に記載したアップライトピアノにおいて、前記フレームには前記支持レールの両端部と中間部を支持するための取付けベース部が複数個所において設けられていることを特徴とするアップライトピアノ。
【請求項３】
請求項２に記載したアップライトピアノにおいて、前記支持レールは支持レールの両端部を支持する２つの端部用支持金具と、支持レールの中間部を支持する中間部用支持金具と、支持レールの別の中間部を支持する支持ボルトを介して前記取付けベース部に取り付けられていることを特徴とするアップライトピアノ。
【請求項４】
請求項３に記載したアップライトピアノにおいて、前記中間部用支持金具は前記支持レール側に設けられるレール支持金具と、前記取付けベース部側に設けられるベース取付金具との二部材によって構成されており、前記レール支持金具はベース取付金具に対して高さ方向に調整可能な状態で取り付けられていることを特徴とするアップライトピアノ。
【請求項５】
請求項３または請求項４に記載したアップライトピアノにおいて、前記中間部用支持金具を取り付ける取付けベース部は庇状に前方に水平に張り出した形状を有していることを特徴とするアップライトピアノ。
【発明の詳細な説明】
【技術分野】
【０００１】
本発明はアップライトピアノに係り、特にハンマー装置とダンパー装置とが各々独立して設けられ、且つハンマーが叩く弦の数を減らして音量を小さくする音量調節装置を備えるアップライトピアノに関するものである。
【背景技術】
【０００２】
特許文献１に示すアップライトピアノでは、ハンマー装置とダンパー装置とが各々独立して備えられている。
この種のアップライトピアノは、ソフトペダルを踏み込みハンマーを鍵盤の整列方向に所定ストローク横スライドさせることによって、ハンマーが叩く弦の数を減らして音量を小さくする音量調節装置を備えている。このアップライトピアノでは横スライド方式の音量調節装置の採用によりグランドピアノを連想させるような均一でクリアーな音の強弱が付けられるようになり、アップライトピアノの性能は格段に向上している。
【０００３】
【特許文献１】実公平５−３８４００号公報
【０００４】
しかしながら、特許文献１に開示されているアップライトピアノでは、ダンパー装置を支持する支持レールがフレームのみならず、ピアノ本体の木製で精度を出しにくい左右の親板と鍵盤が載置される棚板にも取り付けられているため、修理等のため親板や棚板を外して、支持レールと親板や棚板とを分離してしまうと、ダンパー装置と弦との位置関係が狂ってしまう問題がある。
【０００５】
ダンパー装置と弦との位置関係の調整は相当に微妙なものであり、ダンパー装置と弦との位置関係を正しい状態に戻すには相当に高度な技術が必要である。
【０００６】
また、親板と棚板は永年の使用により反り等の変形が生じるおそれがあり、これに伴ってダンパー装置の取付け位置をその都度調節しなければならないおそれもある。
【発明の開示】
【発明が解決しようとする課題】
【０００７】
本発明は上記の背景技術が抱える問題点を踏まえてなされたものであって、修理時等のため親板や棚板を外しても、ダンパー装置と弦との位置関係が狂うことがなく、経時的な取付け位置のずれが生じにくいアップライトピアノを提供することを目的とする。
【課題を解決するための手段】
【０００８】
上記課題を解決するために、請求項１に記載した発明は、鍵を叩くことによって当該鍵に対応したハンマーを動作させ所定の弦を叩いて音を発生させるハンマー装置と前記ハンマーの動作と連動してダンパーレバーを動作させて弦に当接していたダンパーを弦から離間させるダンパー装置とが各々独立して設けられており、且つ操作部材を操作してハンマーを鍵盤の整列方向に横スライドさせることによってハンマーが叩く弦の数を減らして音量を小さくする音量調節装置とを備えるアップライトピアノにおいて、前記ダンパー装置を支持する支持レールをフレームに対してのみ支持させたことを特徴とするアップライトピアノである。
【０００９】
請求項２に記載した発明は、請求項１に記載したアップライトピアノにおいて、前記フレームには前記支持レールの両端部と中間部を支持するための取付けベース部が複数個所において設けられていることを特徴とするアップライトピアノである。
【００１０】
請求項３に記載した発明は、請求項２に記載したアップライトピアノにおいて、前記支持レールは支持レールの両端部を支持する２つの端部用支持金具と、支持レールの中間部を支持する中間部用支持金具と、支持レールの別の中間部を支持する支持ボルトを介して前記取付けベース部に取り付けられていることを特徴とするアップライトピアノである。
【００１１】
請求項４に記載した発明は、請求項３に記載したアップライトピアノにおいて、前記中間部用支持金具は前記支持レール側に設けられるレール支持金具と、前記取付けベース部側に設けられるベース取付金具との二部材によって構成されており、前記レール支持金具はベース取付金具に対して高さ方向に調整可能な状態で取り付けられていることを特徴とするアップライトピアノである。
【００１２】
請求項５に記載した発明は、請求項３または請求項４に記載したアップライトピアノにおいて、前記中間部用支持金具を取り付ける取付けベース部は庇状に前方へ水平に張り出した形状を有していることを特徴とするアップライトピアノである。
【発明の効果】
【００１３】
本発明のアップライトピアノによれば、修理等のため親板や棚板を外しても、ダンパー装置と弦との位置関係が狂うのを防止することができる。
またフレームは金属製であり経時的な変形が生じにくいから経時的にダンパー装置と弦との位置関係が狂うのを防止することができる。
【発明を実施するための最良の形態】
【００１４】
本発明の実施の形態に係るアップライトピアノ１を説明する。
ピアノ本体５には、左右に設けられる縦に長い矩形平板状の２枚の親板７が備えられている。左右の親板７の中間付近の高さには前方に張り出す２本の腕木１７が設けられており、２本の腕木１７によって挟まれた空間の底部には同じく前方に張り出すように矩形平板状の棚板１９が水平に架け渡されている。
【００１５】
棚板１９上には鍵２９が間口方向に整列した鍵盤が設けられている（図１参照）。ピアノ本体５の前面下部には操作部材としての図示しないソフトペダルが設けられている。
ピアノ本体５の内部には高い剛性をもつ金属製のフレーム３９が設けられている。このフレーム３９には鍵２９に対応した多数本の弦３７が張られている
またフレーム３９の前方にはハンマー装置４３とダンパー装置４９が各々独立した別体のユニットとして設けられている。ダンパー装置４９は支持レール５９に支持されている。
【００１６】
ハンマー装置４３は鍵２９を叩くことによって回動支点５１を回動中心として図１中、反時計方向に所定角度回動するウイッペン５３と、ウイッペン５３の動きに連動させてハンマー４１を弦３７の方向に回動させる動作伝達装置５５等とを備えている。またハンマー４１の動きに連動してダンパー４７を動作させるためのダンパースプーン５７が回動支点５１を境にして動作伝達装置５５が接続されている部位と反対側のウイッペン５３の上面に立設されている。
【００１７】
ダンパー装置４９は鍵２９の数に対応した多数のダンパー４７と、当該ダンパー４７の動作伝達手段である多数のダンパーレバー４５とを備えている。
指で鍵２９を叩くと、上述のようにウイッペン５３が図１中反時計方向に回動して当該鍵２９に対応したハンマー４１を動作させて所定の弦３７を叩くハンマーアクションが実行され、これと連動してダンパースプーン５７がダンパーレバー４５の下端部４５ａを押してダンパーレバー４５を、回動支点６１を中心にして図１中、時計方向にダンパーレバー４５を回動させる。
これに伴ってダンパー４７はハンマー４１が弦３７を叩く直前の段階で当接していた弦３７から離れるダンパーアクションが実行する。
【００１８】
音量調節装置は公知のものであり、ソフトペダルの１つを踏み込むことによってハンマー４１を鍵盤の整列方向にハンマーアクションレール６５に沿って所定ストローク横スライドさせる装置である。ハンマー４１が横スライドすることにより、当該ハンマー４１が叩く弦３７の数が減り音量が小さくなる。この音量調節装置は音色を調節する機能を併せ持っている。即ち、ハンマー４１にはフェルト製の打弦部が設けられているが、奏者がソフトペダルの踏み込みを加減することにより打弦部の柔らかい箇所と硬い箇所を選択して音色を調節できる。
【００１９】
尚、ダンパー停止装置６３は、ソフトペダルの１つを踏み込んで操作することによって図１に示す連結レバー６７を上方に押し上げ、支持レール５９に沿うように支持レール５９の下方に設けられている長杆状のダンパーロッド６９をダンパーレバー４５側に移動させる。これによりすべてのダンパーレバー４５が回動支点６１を中心に図１中時計方向に回動するようになり、すべてのダンパー４７が同時に弦３７から離間する。
【００２０】
ダンパー装置４９を支持する支持レール５９は、フレーム３９に対して支持されている。具体的には、フレーム３９には図７に示すように左端ベース部７１と、右端ベース部７３と、中間左ベース部７５と中間右ベース部７７の４つの取付けベース部が設けられており、これらの取付けベース部７１、７３、７５、７７に対してそれぞれ端部用支持金具７９、中間部用支持金具８１、支持ボルト８３、他の端部用支持金具７９を取り付けることによって支持レール５９を支持するように構成されている。
【００２１】
左端ベース部７１はフレーム３９の左端部を幾分右方（内側）に張り出させた幅広の矩形状の垂直な平坦面によって構成されており、その上部と下部には端部用支持金具７９を取り付ける際に使用される雌ネジが刻設されたネジ穴８５が形成されている。
右端ベース部７３はフレーム３９の右端部を幾分左方（内側）に張り出させた幅広の矩形状の垂直な平坦面によって構成されている。この右端ベース部７３の上部と下部には左端ベース部７１と同様の他の端部用支持金具７９を取り付ける際に使用されるネジ穴８５が形成されている。
【００２２】
中間左ベース部７５は左端ベース部７１及び右端ベース部７３より下方に位置しており、フレーム３９の一部を庇状に前方に水平に張り出させた矩形状の水平な平坦面によって構成されている。
中間左ベース部７５の上面には中間部用支持金具８１を取り付ける際に使用される雌ネジが刻設された２個のネジ穴８５が形成されている。
【００２３】
中間右ベース部７７は上記各取付けベース部７１、７３、７５、７７のうち最も前方に位置するフレーム３９に形成された傾斜リブ８７上に設けられている。
即ち、傾斜リブ８７の前端面の一部を平坦に加工することによって形成されており、中間右ベース部７７の中心には支持ボルト８３を取り付けるための雌ネジが刻設された１個のネジ穴８５が形成されている。
【００２４】
２枚設けられる端部用支持金具７９は同一形状、同一サイズのものであり、短冊状の縦に長い矩形平板状の部材を図示のように中央が高くなるように適宜折り曲げることによって形成されている。
左端ベース部７１あるいは右端ベース部７３に取り付けられる上下の端片部にはそれぞれ垂直方向（図３（ａ）、図６（ａ）中、上下方向）に延びる高さ調整用の長穴８９が形成されている。
また端部用支持金具７９の一段高くなった中央部の中心には取付けボルト９１の軸部を受け入れる受入れ穴９３が形成されている。
【００２５】
中間部用支持金具８１は支持レール５９側に設けられるレール支持金具９５と、中間左ベース部７５側に設けられるベース取付金具９７との二部材によって構成されている。
レール支持金具９５はへの字状に屈曲した幅狭の長尺な平板状部材であり、その上端部が支持レール５９に取付けボルト９１と取付けナット９９を使用して固定されている。
またレール支持金具９５の下端部には取付けボルト９１を受け入れる受入れ穴９３が上下に２個形成されている。
【００２６】
ベース取付金具９７は断面Ｌ字形をしており、下部に位置する水平部１０１には取付けボルト９１を受け入れる２個の受入れ穴９３が形成されている。また上方に向けて延びる垂直部１０３の上部には垂直方向に延びる高さ調整用の長穴８９が２個直列状態で設けられている。
【００２７】
支持ボルト８３は雄ネジが刻設された軸部のみによって構成されているボルトであり、取付けナット９９を使用して中間右ベース部７７に対して固定されている。また支持レール５９を固定する取付けナット９９はフランジ付きのナットとフランジなしのナットの２種類が設けられており、フランジ付きのナットは支持レール５９の前後方向の固定位置を調整するアジャストナット１０５、フランジなしのナットは支持レール５９を固定するロックナット１０７である。
支持レール５９には図示のように間口方向に水平に延びる幅調整用の長穴１０９が４つ設けられており、支持レール５９の幅調整後、当該長穴１０９を貫通する取付けボルト９１及び支持ボルト８３に対して取付けナット９９を螺合させることによって支持レール５９の幅方向の位置決めが行われる。
【００２８】
このアップライトピアノ１では、ダンパー装置４９を支持する支持レール５９をフレーム３９に対してのみ支持したので、修理等のため親板９や棚板１９を外しても、ダンパー装置４９と弦３７との位置関係が狂うのを防止することができる。
またフレームは金属製であり経時的な変形が生じにくいからこれに伴う経時的に、ダンパー装置４９と弦３７との位置関係が狂うのを防止することができる。
【００２９】
以上、本発明を実施について詳述したが、本発明の具体的構成は図示の実施の形態に限定されるものではなく、本発明の要旨から外れない範囲での設計変更等があっても本発明に含まれる。
例えば、左端ベース部７１と右端ベース部７３については、これらの平坦面に所定高さの凸部を形成しておくことが可能であり、このようにした場合には端部用支持金具７９を省略して中間右ベース部７７のように支持ボルト８３を使用した支持レール５９の固定が可能となる。
【図面の簡単な説明】
【００３０】
【図１】アップライトピアノの内部に設けられるハンマー装置とダンパー装置を示す側断面図である。
【図２】本発明の実施の形態に係るアップライトピアノのダンパー装置の支持構造を示す斜視図である。
【図３】本発明の実施の形態に係るアップライトピアノのダンパー装置の支持構造の左端部の構成を示す正面図（ａ）と同図中のＡ−Ａ断面図（ｂ）である。
【図４】本発明の実施の形態に係るアップライトピアノのダンパー装置の支持構造の中間左部の構成を示す側断面図である。
【図５】本発明の実施の形態に係るアップライトピアノのダンパー装置の支持構造の中間右部の構成を示す側断面図である。
【図６】本発明の実施の形態に係るアップライトピアノのダンパー装置の支持構造の右端部の構成を示す正面図（ａ）と同図中のＢ−Ｂ断面図（ｂ）である。
【図７】本発明の実施の形態に係るアップライトピアノのダンパー装置の支持構造が適用されたフレームを示す正面図である。
【符号の説明】
【００３１】
１  アップライトピアノ      ３  ダンパー装置の支持構造
５  ピアノ本体      ７  親板      ９  天板
１７  腕木      １９  棚板
２９  鍵      ３５  音量調節装置      ３７  弦
３９  フレーム      ４１  ハンマー      ４３  ハンマー装置
４５  ダンパーレバー      ４５ａ  下端部      ４７  ダンパー
４９  ダンパー装置      ５１  回動支点
５３  ウイッペン      ５５  動作伝達装置      ５７  ダンパースプーン
５９  支持レール      ６１  回動支点      ６３  ダンパー停止装置
６５  ハンマーアクションレール      ６７  連結レバー
６９  ダンパーロッド      ７１  左端ベース部（取付けベース部）
７３  右端ベース部（取付けベース部）
７５  中間左ベース部（取付けベース部）
７７  中間右ベース部（取付けベース部）
７９  端部用支持金具      ８１  中間部用支持金具      ８３  支持ボルト
８５  ネジ穴      ８７  傾斜リブ      ８９  長穴      ９１  取付けボルト
９３  受入れ穴      ９５  レール支持金具      ９７  ベース取付金具
９９  取付けナット      １０１  水平部      １０３  垂直部
１０５  アジャストナット      １０７  ロックナット      １０９  長穴
【図１】
2007093655.tif 000003
【図２】
2007093655.tif 000004
【図３】
2007093655.tif 000005
【図４】
2007093655.tif 000006
【図５】
2007093655.tif 000007
【図６】
2007093655.tif 000008
【図７】
2007093655.tif 000009